(57)【要約】【課題】撮影画像を表示部でモニターしながらカメラで撮影する場合に、簡易な構成で、自然な撮影ができるとともに、被写体へのカメラの方向合わせが容易にできるカメラ付折畳み式携帯機器を提供する。【解決手段】本発明のカメラ付折畳み式携帯機器１０は、折り畳み可能に連結された第１の筐体１ａと第２の筐体１ｂとを有し、かつ第１の筐体１ａにメイン表示部３ａを有し、かつ第２の筐体１ｂにカメラ２を有し、第１の筐体１ａと第２の筐体１ｂとを開いた状態で、メイン表示部３ａの表示面に垂直な方向とカメラ２の光軸方向とが同一方向となるようにカメラ２が第２の筐体１ｂに取り付けられていることを特徴とする。【選択図】        図３
2005006262.tif 000002
【特許請求の範囲】
【請求項１】
折り畳み可能に連結された第１の筐体と第２の筐体とを有し、かつ前記第１の筐体に表示部を有し、かつ前記第２の筐体にカメラを有するカメラ付折畳み式携帯機器であって、
前記第１の筐体と前記第２の筐体とを開いた状態で、前記表示部の表示面に垂直な方向と前記カメラの光軸方向とが同一方向となるように前記カメラが前記第２の筐体に取り付けられていることを特徴とする、カメラ付折畳み式携帯機器。
【請求項２】
前記カメラは、前記第１の筐体と前記第２の筐体とを閉じた状態で、カメラ付折畳み式携帯機器の内側になるように前記第２の筐体に配置されていることを特徴とする、請求項１に記載のカメラ付折畳み式携帯機器。
【請求項３】
前記カメラは、前記第１の筐体と前記第２の筐体とを閉じた状態で、カメラ付折畳み式携帯機器の外側になるように前記第２の筐体に配置されていることを特徴とする、請求項１に記載のカメラ付折畳み式携帯機器。
【発明の詳細な説明】
【０００１】
【発明の属する技術分野】
本発明は、カメラ付折畳み式携帯機器に関し、特に、折り畳み可能に連結された第１の筐体と第２の筐体とを有するカメラ付折畳み式携帯機器に関するものである。
【０００２】
【従来の技術】
カメラを搭載し、カメラによって撮影した映像を通信する携帯通信機器が多数提案されている。
【０００３】
特開２００１−１３６２５４号公報においては、スピーカ部を備える第１の筐体とマイク部を備える第２の筐体とが折り畳み自在に連結され、かつ第２の筐体とカメラ部を備える第３の筐体とが自在継手により３６０度回転自在かつ折り畳み自在に連結された携帯無線通信装置が開示されている。この携帯無線通信装置において、音声通信および映像通信を同時に行う場合には、第２の筐体に対し第３の筐体を回転させることによって良好な通信姿勢を保ちながらカメラ部が取り込む画像を変更することができる。また、この携帯無線通信装置本体を収納する場合、第１の筐体と第３の筐体とを第２の筐体に折り畳むことによって表示部の画面およびカメラ部のレンズを保護することができる。
【０００４】
特開２００１−３２０４６３号公報においては、筐体本体に対してリッド部を折り畳み可能とすると共に回動可能とした携帯端末装置が開示されている。この携帯端末装置では、撮像状態に応じて、筐体本体の背面または側面に固定させた撮像カメラに対して、リッド部に設けた表示装置を回転させることにより、撮像カメラで自分自身を撮像する場合と、外部被写体を撮像する場合との双方で撮像画面を表示装置でモニタすることができる。
【０００５】
【特許文献１】
特開２００１−１３６２５４号公報
【０００６】
【特許文献２】
特開２００１−３２０４６３号公報
【０００７】
【発明が解決しようとする課題】
しかしながら、特開２００１−１３６２５４号公報によれば、新たに自在継手を設け、カメラ部を回転することにより所望の各種方向に向けること、及び３つの筐体を折畳んでカメラレンズの保護ができるものの、第３の筐体および自在継手が必要であり部品点数が増大し、更にカメラから第２の筐体への信号の接続の問題がある。この点を考えるとコストアップは避けられない。
【０００８】
また、特開２００１−３２０４６３号公報おいては、リッド部を回転させるためのパイプを含む回転機構が必要となり、これもコストアップに繋がる。
【０００９】
本発明は、上記の事情を鑑みてなすもので、撮影画像を表示部でモニターしながらカメラで撮影する場合に、簡易な構成で、自然な撮影ができるとともに、被写体へのカメラの方向合わせが容易にできるカメラ付折畳み式携帯機器を提供することを目的とする。
【００１０】
【課題を解決するための手段】
本発明のカメラ付折畳み式携帯機器は、折り畳み可能に連結された第１の筐体と第２の筐体とを有し、かつ第１の筐体に表示部を有し、かつ第２の筐体にカメラを有するカメラ付折畳み式携帯機器であって、第１の筐体と第２の筐体とを開いた状態で、表示部の表示面に垂直な方向とカメラの光軸方向とが同一方向となるようにカメラが第２の筐体に取り付けられていることを特徴とするものである。
【００１１】
本発明のカメラ付折畳み式携帯機器によれば、第１の筐体と第２の筐体とを開いた状態で、表示部の表示面に垂直な方向とカメラの光軸方向とが同一方向となるため、自画像撮影する場合には表示部を垂直に見ればカメラが自分の方向に略垂直に向くことになるため、自然な撮影が可能となる。
【００１２】
また、自分以外の被写体を撮影する場合には表示部の向く方向がカメラの向く方向となるため、表示部を見ながら容易に被写体にカメラの向きを合わせることが可能となり、被写体への方向合わせが容易となる。
【００１３】
また、上記の効果を得るためにカメラを筐体に対して回転などさせる必要がないため、カメラを回転させる機構が不要となり、その分だけ部品点数を減らすことができ、コストアップを避けることができる。
【００１４】
上記のカメラ付折畳み式携帯機器において好ましくは、カメラは、第１の筐体と第２の筐体とを閉じた状態で、カメラ付折畳み式携帯機器の内側になるように第２の筐体に配置されている。
【００１５】
これにより、自画像撮影する場合に、表示部を垂直に見ればカメラが自分の方向に略垂直に向くことになるため、自然な撮影が可能となる。
【００１６】
上記のカメラ付折畳み式携帯機器において好ましくは、カメラは、第１の筐体と第２の筐体とを閉じた状態で、カメラ付折畳み式携帯機器の外側になるように第２の筐体に配置されている。
【００１７】
これにより、自分以外の被写体を撮影する場合には表示部の向く方向がカメラの向く方向となるため、表示部を見ながら容易に被写体にカメラの向きを合わせることが可能となり、被写体への方向合わせが容易となる。
【００１８】
【発明の実施の形態】
以下、本発明の実施の形態について図に基づいて説明する。
【００１９】
（実施の形態１）
図１および図２は、本発明の実施の形態１におけるカメラ付折畳み式携帯機器の開いた状態を示す正面図および部分断面側面図である。また、図３は、図１および図２に示すカメラ付折畳み式携帯機器の表示部とカメラと操作者の目との位置関係を示す図である。なお、図２は、第１の筐体部分および第２の筐体部分を断面で示している。
【００２０】
図１および図２を参照して、本実施の形態のカメラ付折畳み式携帯機器１０は、折畳み式であって、第１の筐体１ａと、第２の筐体１ｂと、ヒンジ部１ｃと、カメラ２と、メイン表示部３ａと、サブ表示部３ｂと、複数の入力ボタン４とを主に有している。
【００２１】
第１の筐体１ａと第２の筐体１ｂとがヒンジ部１ｃで折り畳み可能に連結されている。第１の筐体１ａの一方表面側（表面側）には、入力した文字や撮影した映像を表示するメイン表示部３ａが配置されており、他方表面側（背面側）には折り畳み状態で充電状態、電波状態、時刻などを表示するサブ表示部３ｂが配置されている。また、第２の筐体１ｂの一方表面側（表面側）にはカメラ２と複数の入力ボタン４とが配置されており、他方表面側（背面側）には電池蓋などが配置されている。複数の入力ボタン４には、文字を入力するためのボタンやシャッターを切るためのボタンが含まれる。
【００２２】
第１の筐体１ａと第２の筐体１ｂとを折り畳んだ状態（閉じた状態）で、カメラ２、メイン表示部３ａおよび複数の入力ボタン４は内側となり、サブ表示部３ｂおよび電池蓋は外側となる。したがって、折り畳んだ状態では、カメラ付折畳み式携帯機器１０の外側からはサブ表示部３ｂおよび電池蓋を視認することはできるが、カメラ２、メイン表示部３ａおよび複数の入力ボタン４を視認することはできない。
【００２３】
第１の筐体１ａと第２の筐体１ｂとを開いた状態では、第１の筐体１ａと第２の筐体１ｂとのなす角度δは約１６０度である。また、第１の筐体１ａと第２の筐体１ｂとを開いた状態で、メイン表示部３ａの表示面に垂直な方向とカメラ２の光軸方向とが同一方向となるように、カメラ２の光軸方向は第２の筐体１ｂの表面または裏面の垂線に対して２０°の角度θだけ傾いた状態で第２の筐体１ｂに取り付けられている。ただし、カメラ２の光軸方向は第２の筐体１ｂの表面側に向っている。
【００２４】
本実施の形態によれば、カメラ２が第２の筐体１ｂに対して常に一定の傾斜（角度θ）を持って固定されているため、第１の筐体１ａと第２の筐体１ｂとを開いた状態で、メイン表示部３ａの表示面に垂直な方向とカメラ２の光軸方向とを同一方向とすることができる。これにより、図３に示すように、自画像撮影する場合に、メイン表示部３ａを垂直に見ればカメラ２が自分の方向に略垂直に向くことになる。このため、カメラアングルが撮影者のほぼ正面を向き、撮影者自身の目線も正面を向いているため、自然な撮影が可能となる。
【００２５】
また、カメラ２が第１の筐体１ａではなく、第２の筐体１ｂに配置されることにより以下の効果も得られる。
【００２６】
カメラ付折畳み式携帯機器１０においては、第１の筐体１ａに設けられたメイン表示部３ａおよびサブ表示部３ｂの画面の大きさが益々大きくなっていく傾向にあるため、第１の筐体１ａよりも第２の筐体１ｂにカメラ２を配置する方が、カメラ配置のスペース上有利である。また、カメラ２はサブ表示部３ｂの反対側、すなわち第２の筐体１ｂの背面に配置することによって、カメラ付折畳み式携帯機器を折り畳んでカメラとして使用する場合に第１の筐体１ａの背面のサブ表示部３ｂをファインダとして用いて撮影を行うことができる。
【００２７】
（実施の形態２）
図４および図５は、本発明の実施の形態２におけるカメラ付折畳み式携帯機器の開いた状態を示す背面図および部分断面側面図である。また、図６は、図４および図５に示すカメラ付折畳み式携帯機器の表示部とカメラと操作者の目との位置関係を示す図である。なお、図５は、第１の筐体部分および第２の筐体部分を断面で示している。
【００２８】
図４および図５を参照して、本実施の形態のカメラ付折畳み式携帯機器１０の構成は、実施の形態１の構成と比較して、カメラ２が第２の筐体１ｂの他方表面側（背面側）に配置されている点において異なる。
【００２９】
このカメラ２は第２の筐体１ｂの背面側において、たとえば電池蓋５よりもヒンジ部１ｃ側に配置されている。
【００３０】
第１の筐体１ａと第２の筐体１ｂとを折り畳んだ状態（閉じた状態）で、メイン表示部３ａおよび複数の入力ボタン４は内側となり、カメラ２、サブ表示部３ｂおよび電池蓋は外側となる。したがって、折り畳んだ状態では、カメラ付折畳み式携帯機器１０の外側からはカメラ２、サブ表示部３ｂおよび電池蓋を視認することはできるが、メイン表示部３ａおよび複数の入力ボタン４を視認することはできない。
【００３１】
第１の筐体１ａと第２の筐体１ｂとを開いた状態では、第１の筐体１ａと第２の筐体１ｂとのなす角度δは約１６０度である。また、第１の筐体１ａと第２の筐体１ｂとを開いた状態で、メイン表示部３ａの表示面に垂直な方向とカメラ２の光軸方向とが同一方向となるように、カメラ２の光軸方向は第２の筐体１ｂの表面または裏面の垂線に対して２０°の角度θだけ傾いた状態で第２の筐体１ｂに取り付けられている。ただし、カメラ２の光軸方向は第２の筐体１ｂの背面側に向っている。
【００３２】
なお、これ以外の構成については上述した実施の形態１の構成とほぼ同じであるため、同一の構成要素については同一の符号を付し、その説明を省略する。
【００３３】
本実施の形態によれば、カメラ２が第２の筐体１ｂに対して常に一定の傾斜（角度θ）を持って固定されているため、第１の筐体１ａと第２の筐体１ｂとを開いた状態で、メイン表示部３ａの表示面に垂直な方向とカメラ２の光軸方向とを同一方向とすることができる。これにより、図６に示すように、撮影者以外の被写体を撮影する場合に、メイン表示部３ａの向く方向がカメラ２の向く方向となるため、メイン表示部３ａを見ながら容易に被写体にカメラ２の向きを合わせることが可能となり、被写体への方向合わせが容易となる。また、メイン表示部３ａを見ながら被写体を楽に捜し出すことができる。
【００３４】
また、カメラ２が第１の筐体１ａではなく、第２の筐体１ｂに配置されることにより実施の形態１と同じ効果を得ることができる。
【００３５】
上記の実施の形態においては、カメラ付折畳み式携帯機器１０として携帯電話について説明したが、本発明は携帯電話だけでなく、携帯通信機器に適用でき、さらに携帯用情報端末（ＰＤＡ：ｐｅｒｓｏｎａｌ  ｄａｔａ  ａｓｓｉｓｔａｎｔ）、ノート型のパーソナルコンピュータなどのカメラ付折畳み式携帯機器に広く適用され得る。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３７】
【発明の効果】
以上説明したように本発明のカメラ付折畳み式携帯機器によれば、第１の筐体と第２の筐体とを開いた状態で、表示部の表示面に垂直な方向とカメラの光軸方向とが同一方向となるため、自画像撮影する場合には表示部を垂直に見ればカメラが自分の方向に略垂直に向くことになるため、自然な撮影が可能となる。
【００３８】
また、自分以外の被写体を撮影する場合には表示部の向く方向がカメラの向く方向となるため、表示部を見ながら容易に被写体にカメラの向きを合わせることが可能となり、被写体への方向合わせが容易となる。
【００３９】
また、上記の効果を得るためにカメラを筐体に対して回転などさせる必要がないため、カメラを回転させる機構が不要となり、その分だけ部品点数を減らすことができ、コストアップを避けることができる。
【図面の簡単な説明】
【図１】本発明の実施の形態１におけるカメラ付折畳み式携帯機器の開いた状態を示す正面図である。
【図２】本発明の実施の形態１におけるカメラ付折畳み式携帯機器の開いた状態を示す部分断面側面図であり、第１の筐体部分および第２の筐体部分を断面で示す図である。
【図３】図１および図２に示すカメラ付折畳み式携帯機器の表示部とカメラと操作者の目との位置関係を示す図である。
【図４】本発明の実施の形態２におけるカメラ付折畳み式携帯機器の開いた状態を示す背面図である。
【図５】本発明の実施の形態２におけるカメラ付折畳み式携帯機器の開いた状態を示す部分断面側面図であり、第１の筐体部分および第２の筐体部分を断面で示す図である。
【図６】図４および図５に示すカメラ付折畳み式携帯機器の表示部とカメラと操作者の目との位置関係を示す図である。
【符号の説明】
１ａ  第１の筐体、１ｂ  第２の筐体、１ｃ  ヒンジ部、２  カメラ、３ａ  メイン表示部、３ｂ  サブ表示部、４  入力ボタン、５  電池蓋、１０  カメラ付折畳み式携帯機器。
【図１】
2005006262.tif 000003
【図２】
2005006262.tif 000004
【図３】
2005006262.tif 000005
【図４】
2005006262.tif 000006
【図５】
2005006262.tif 000007
【図６】
2005006262.tif 000008